(57)【要約】      （修正有）【課題】１枚のダンボールから簡易に組み立てられガラス容器を箱体の側板に接することなく確実に支持して保護できる緩衝体と、その緩衝体を使用してガラス容器を安全に包装あるいは運搬できるガラス容器の収納ケースを提供する。【解決手段】第１乃至第６緩衝板を第１乃至第５連結体で連設したガラス容器Ｇの緩衝体Ｃを構成し、この緩衝体Ｃの内部に２個のガラス容器Ｇを収納して箱体Ｂ内部に密着して収納したガラス容器の収納ケース。【選択図】図１
0003122717.tif 000002
【実用新案登録請求の範囲】
【請求項１】
ガラス容器の３側面を支持する緩衝板を連続して設けたダンボールよりなる緩衝体を構成し、この緩衝体を組み立てて内部にガラス容器を収納した後、緩衝体を箱体内部に密着して収納したガラス容器の収納ケース。
【請求項２】
上記緩衝板を、一端に第１緩衝板を構成し、上記第１緩衝板に第１連結板を介して第２緩衝板を連設し、上記第２緩衝板に第２連結板を介して第３緩衝板を連設し、上記第３緩衝体に第３連結板を介して第４緩衝板を連設し、上記第４緩衝板に第４連結板を介して第５緩衝板を連設し、  上記第５緩衝体に第５連結板を介して第６緩衝板を連設したことを特徴とする請求項１記載のガラス容器の収納ケース。
【請求項３】
上記緩衝体を、一端に第１緩衝板を構成し、この第１緩衝板の上端には係合部を有する上蓋を連設すると共に下端には係合部を有する底蓋を連設し、上記第１緩衝板には第１連結板を介して第２緩衝板を連設し、 第２緩衝板の上端には上板を連設し下端には下板を連設し、上記第２緩衝板には第２連結板を介して第３緩衝板を連設し、この第２連結板の上端と下端には、上蓋の係合部及び底蓋の係合部に係合する係止片を連設し、第３緩衝体には第３連結板を介して第４緩衝板を連設し、上記第４緩衝板には第４連結板を介して第５緩衝板を連設し、この第４連結板の上端と下端には、上蓋の係合部及び底蓋の係合部に係合する係止片を連設し、上記第５緩衝板の上端には上板を連設し下端には下板を連設し、上記第５緩衝体には第５連結板を介して第６緩衝板を連設し、この第６緩衝板の上端には、係合部を有する上蓋を連設すると共に下端には係合部を有する底蓋を連設したことを特徴とする請求項１記載のガラス容器の収納ケース。
【考案の詳細な説明】
【技術分野】
【０００１】
本考案は、ガラス瓶などのガラス容器を包装したり運搬したりするときに用いる収納ケースであり、特に１枚のダンボールによって作成した緩衝板を用いたガラス容器の収納ケースに関するものである。
【背景技術】
【０００２】
従来より、ガラス容器を包装するために緩衝材が考案されていた。このうち特許文献１に示す緩衝材は、上下にスリットを入れて櫛状に形成したダンボール製の板片を８枚用意し、これらの板片を、スリット同士を噛み合わせるようにして、格子状に組み合わせる。板片は高さの小さいものと大きいものを交互に配置し、高さの小さい板片同士の瓶が載るすのこを形成する。そして、高さの大きい板片同士がガラス瓶相互を隔てる仕切りを形成するものであった。
この考案の緩衝材は、下からの衝撃はすのこが変形することで吸収し、瓶の破損を防ぐ。
また、隣の瓶同士は仕切りで隔てられているので、水平方向の衝撃にも強い。また、ダンボール等の板紙で作れるので、使用後、リサイクルしやすく、燃やしても有害物質が出にくいという効果がある。
【特許文献１】実用新案登録第３０６２４４８号
【０００３】
しかしながら、上記の考案は８枚のダンボール片を用意して、スリット同士を噛み合わせなくてはならず、製作に手間と時間がかかった。さらに収納時にはガラス瓶の２面あるいは１面が内筒に接触した状態であるから、ガラス瓶にはカートン外方からの衝撃が内筒を介して伝わるため、強い衝撃の場合は破損する恐れがあった。
【考案の開示】
【考案が解決しようとする課題】
【０００４】
本考案は、従来の収納ケースの問題点を解決するものであり、１枚のダンボールを予め構成した折線に沿って折り畳むことによって簡易に組み立てられガラス容器を確実に支持して保護できる緩衝体と、その緩衝体を使用してガラス容器を安全に包装あるいは運搬できるガラス容器の収納ケースを提供することを目的とする。
【課題を解決するための手段】
【０００５】
本考案の要旨とするところは、ガラス容器の３側面を支持する緩衝板を連続して設けたダンボールよりなる緩衝体を構成し、この緩衝体を組み立てて内部にガラス容器を収納した後、緩衝体を箱体内部に密着して収納したガラス容器の収納ケースである。
【０００６】
また、本考案の要旨とするところは、上記緩衝板を、一端に第１緩衝板を構成し、上記第１緩衝板に第１連結板を介して第２緩衝板を連設し、上記第２緩衝板に第２連結板を介して第３緩衝板を連設し、上記第３緩衝体に第３連結板を介して第４緩衝板を連設し、上記第４緩衝板に第４連結板を介して第５緩衝板を連設し、上記第５緩衝体に第５連結板を介して第６緩衝板を連設したことを特徴とするガラス容器の収納ケースである。
【０００７】
また、本考案の要旨とするところは、上記緩衝体を、一端に第１緩衝板を構成し、この第１緩衝板の上端には係合部を有する上蓋を連設すると共に下端には係合部を有する底蓋を連設し、上記第１緩衝板には第１連結板を介して第２緩衝板を連設し、第２緩衝板の上端には上板を連設し下端には下板を連設し、上記第２緩衝板には第２連結板を介して第３緩衝板を連設し、この第２連結板の上端と下端には、上蓋の係合部及び底蓋の係合部に係合する係止片を連設し、第３緩衝体には第３連結板を介して第４緩衝板を連設し、上記第４緩衝板には第４連結板を介して第５緩衝板を連設し、この第４連結板の上端と下端には、上蓋の係合部及び底蓋の係合部に係合する係止片を連設し、上記第５緩衝板の上端には上板を連設し下端には下板を連設し、上記第５緩衝体には第５連結板を介して第６緩衝板を連設し、この第６緩衝板の上端には、係合部を有する上蓋を連設すると共に下端には係合部を有する底蓋を連設したことを特徴とするガラス容器の収納ケースである。
【考案の効果】
【０００８】
請求項１の考案は、１枚のダンボールを順次折り畳むことによって簡易に組み立てられガラス容器の３側面を確実に支持して保護できる緩衝体を使用することによって、ガラス容器を安全に包装あるいは運搬することができるのである。
【０００９】
請求項２の考案は、第１乃至第６緩衝体を第１乃至第５連結部で連結してなり２個のガラス容器を収納できるため、さらに製作と組み立てが簡易となり強固な緩衝体が得られるのである。
【００１０】
請求項３の考案は、第１緩衝体と第６緩衝体の上下端に上蓋と底蓋を連設し、第２緩衝板と第５緩衝板の上下端に上板と下板を連設し、かつ第２連結板と第４連結板の上下端には、上記上蓋と底蓋に係合する係止片を連設しなるから、緩衝体内部に収納されたガラス容器の上面と底面が上板や下板あるいは上蓋と底蓋等によって確実に保護されるため、ガラス容器の収納、運搬等がさらに安全に行なわれるのである。
【考案を実施するための最良の形態】
【００１１】
本考案を実施するための緩衝体の最良の形態は、１枚のダンボールよりなり、一端に長方形の第１緩衝板を構成し、この第１緩衝板の上端には係合部を有する上蓋を連設すると共に下端には係合部を有する底蓋を連設する。
上記第１緩衝板には第１連結板を介して第２緩衝板を連設し、この第２緩衝板の上端には上板を連設し下端には下板を連設する。
上記第２緩衝板には第２連結板を介して第３緩衝板を連設し、この第２連結板の上端と下端には、上記上蓋の係合部及び底蓋の係合部に係合する係止片を連設する。
上記第３緩衝体には第３連結板を介して第４緩衝板を連設し、上記第４緩衝板には第４連結板を介して第５緩衝板を連設する。
上記第４連結板の上端と下端には、後記上蓋の係合部及び底蓋の係合部に係合する係止片を連設し、上記第５緩衝板の上端には上板を連設し下端には下板を連設する。
上記第５緩衝体には第５連結板を介して第６緩衝板を連設し、この第６緩衝板の上端には、係合部を有する上蓋を連設すると共に下端には係合部を有する底蓋を連設したことにある。
またガラス容器の収納ケースは、上記緩衝体を箱体内部に密着して収納したものである。
【００１２】
本考案の一実施形態を図面に基づいて説明する。
図１は収納ケースと緩衝体の外観斜視図、図２は緩衝体の平面展開図、図３は緩衝体の組立正面図、図４はガラス瓶を収納した状態の収納ケースの水平断面図、図５は図４のI−I線断面図、図６は図４のII−II線一部省略断面図及び図７は緩衝体の他の実施例の平面展開図である。
【００１３】
ガラス容器の収納ケースＡは、図１に示すように各種のガラス容器、例えばガラス瓶Ｇを収納する緩衝体Ｃと、この緩衝体Ｃを収納できる箱体Ｂからなる。
【００１４】
上記緩衝体Ｃは１枚のダンボールからなり、図２に示すように表面に予め構成した折線に沿って折り畳むことによって、内部にガラス瓶Ｇの収納空間を２個作ることができる。
本実施形態では、緩衝体Ｃを高さ４５６ｍｍ、幅８０７ｍｍとし、第１緩衝板１と第６緩衝板６を高さ２５２ｍｍ、幅１３４ｍｍの大きさとしたが、この大きさに限定されず、ガラス瓶Ｇの大きさ等に対応して任意に選択できる。
【００１５】
上記緩衝体Ｃの構成を説明する。
図２において、緩衝体Ｃの左端に長方形の第１緩衝板１を構成し、この第１緩衝板１の上端には折線１３を介して長方形の上蓋１１を連設すると共に、下端には折線１６を介して長方形の底蓋１４を連設する。
上記第１緩衝板１の略中央部の側端には突起部１７を突設すると共に、上記上蓋１１と底蓋１４の一部を切り欠いて、それぞれ係合部１２と係合部１５を構成する。
【００１６】
上記第１緩衝板１の右側には折線１８を介して第１連結板１９を連設し、この第１連結板１９には折線２５を介して第２緩衝板２を連設する。
第２緩衝板２の上端には折線２２を介して略三角形の上板２１を連設し、下端には折線２４を介して略三角形の下板２３を連設する。
【００１７】
上記第２緩衝板２の右側には折線２６を介して第２連結板２９を連設する。この第２連結板２９の上端には折線３３を介して係止片２７を連設し、下端には折線３４を介して係止片２８を構成する。この係止片２７、２８は上部を円形に形成してあり、上記上蓋１１の係合部１２及び底蓋１４の係合部１５に嵌合する形状である。
【００１８】
上記第２連結板２９の右側に折線３５を介して第３緩衝板３を連設し、第３緩衝板３には折線３６を介して第３連結板３９を連設する。この第３連結板３９には、上記突起部１７と後記突起部６７を係合する係合孔３１を穿設する。
【００１９】
上記第３連結板３の右側には折線４５を介して第４緩衝板４を連設する。この第４緩衝板４には折線４６を介して第４連結板４９を連設する。
この第４連結板４９の上端には折線４３を介して係止片４７を連設し、下端には折線４４を介して係止片４８を構成する。この係止片４７、４８は上部を円形に形成してあり、後記上蓋６１の係合部６２及び底蓋６４の係合部６５に係合する形状である。
【００２０】
上記第４連結体４９の右側には折線５５を介して第５緩衝板５を連設し、この第５緩衝板５には折線５６を介して第５連結板５９を連設する。
上記第５緩衝板５の上端には折線５２を介して略三角形の上板５１を連設し、下端には折線５４を介して略三角形の下板５３を連設する。
【００２１】
上記第５連結板５９には折線６８を介して第６緩衝板６を連設し、この第６緩衝板６の上端には折線６３を介して長方形の上蓋６１を連設すると共に、下端には折線６６を介して長方形の底蓋６４を連設する。
上記第６緩衝板６の略中央部の側端には突起部６７を突設すると共に、上記上蓋６１と底蓋６４の一部を切り欠いて、それぞれ係合部６２と係合部６５を構成する。
【００２２】
上記のように構成した緩衝体Ｃの組み立て方法を説明する。
まず図２において、第１緩衝板１、第１連結板１９、第２緩衝板２、第２連結板２９、第３緩衝板３を、それぞれ折線１８，２５，２６，３５，３６に沿って折り畳んでいき、突起部１７を第３連結板３９の係合孔３１に挿入して、三角形の筒体を構成する。
【００２３】
その後、上板２１、上蓋１１、係止片２７をそれぞれ折線２２、１３、３３によって順次内側に折り畳み、係止片２７を係合部１２へ係合する。
次に、下板２３、下蓋１４、係止片２８をそれぞれ折線２４、１６、３４によって順次内側に折り畳み、係止片２８を係合部１５へ係合する。
【００２４】
次いで第６緩衝板６、第５連結板５９、第５緩衝板５、第４連結板４９、第４緩衝板４を、折線６８、５６、５５、４６、４５に沿って折り畳んでいき、突起部６７を第３連結板３９の係合孔３１に挿入して、三角形の筒体を構成する。
【００２５】
その後、上板５１、上蓋６１、係止片４７をそれぞれ折線５２、６３、４３によって順次内側に折り畳み、係止片４７を係合部６２へ係合する。次に、下板５３、下蓋６４、係止片４８をそれぞれ折線５４、６６、４４によって順次内側に折り畳み、係止片４８を係合部６５へ係合して、図３に示す緩衝体Ｃが完成する。
【００２６】
このように組み立てた緩衝体Ｃの使用に際しては、図１に示すように、上蓋１１と上板２１及び上蓋６１と上板５１を開けて、内部にガラス瓶Ｇを収納してから箱体Ｂ内部に収納する。
【００２７】
この収納状態では、図４乃至図６に示すように、第１緩衝板１と第６緩衝板６は互いに当接しており、第１緩衝板１に対して直角な第２連結板１９は箱体Ｂの側板８１に密着している。そして、第２緩衝板２と第３緩衝板３とは同一の長さであり、その中間の第２連結板２９は側板８２に密着している。第３連結板３９も側板８３に密着している。
また、第５連結板５９、第４緩衝板４、第５緩衝板５及び第４連結板４９も上記と同様の構成のため、説明を省略する。
【００２８】
この結果、緩衝体Ｃは箱体Ｂに密着した状態で収納され、またガラス瓶Ｇは、側面の３ケ所を第１緩衝板１、第２緩衝板２、第３緩衝板３によって支持され、しかも第１緩衝板１と第６緩衝板６は互いに当接している。さらにガラス瓶Ｇの上面は上板２１と上蓋１１、係止片２７によって支持され、下面は下板２３、下蓋１４、係止片２８によって支持されている。
このようにガラス瓶Ｇは、箱体Ｂの側板８１、８２、８３、８４に接していないため、箱体Ｂにいかなる方向から衝撃が加わっても、その衝撃は緩衝体Ｃによって吸収されるため、ガラス瓶Ｇには衝撃が直接伝わらず破損のおそれがなく、安全な収納、運搬が行なえるのである。また、ガラス瓶Ｇを横に寝かして運搬しても同様の効果がある。
【００２９】
また、緩衝体Ｃは１枚のダンボールからなるため製作容易であり、折線に沿って折り畳むことによって組み立てるから、組み立ても簡易迅速に行なえるのである。
【００３０】
図７に緩衝体Ｃの他の実施例を示す。この例では上蓋１の係合片１２ａと上蓋６の係合片６２ａを略台形上に切り欠き、係止片２７ａと係止片４７ａもそれに係合する形状に構成した。底蓋１４と底蓋６４についても同様である。
【００３１】
また、箱体Ｂの上蓋８５及び底蓋８６がガラス瓶Ｇを支持するのに十分な強度を有している場合には、上蓋１１、上板２１、係止片２７、底蓋１４、下板２３、係止片２８及び上蓋６１、上板５１、係止片４７、底蓋６４、下板５３、係止片４８の一部または全部を取り付けずに緩衝体Ｃを構成することもできる。
【００３２】
上記実施形態は、箱体Ｂ内に緩衝体Ｃを１個収納しガラス瓶Ｇを２個収納した場合であるが、箱体Ｂを大きくして緩衝体Ｃを２個密着して収納できればガラス瓶Ｇも４個収納でき、同様に緩衝体Ｃを３個収納できればガラス瓶Ｇは６個収納でき、緩衝体Ｃを４個収納できればガラス瓶Ｇは８個収納できる。このように箱体Ｂの大きさを変更することによって、ガラス瓶Ｇの収納個数を増やすことができるのである。
【図面の簡単な説明】
【００３３】
【図１】収納ケースと緩衝体の外観斜視図
【図２】緩衝体の平面展開図
【図３】緩衝体の組立正面図
【図４】ガラス瓶を収納した状態の収納ケースの水平断面図
【図５】図４のI−I線断面図
【図６】図４のII−II線一部省略断面図
【図７】緩衝体の他の実施例の平面展開図
【符号の説明】
【００３４】
Ａ  収納ケース
Ｂ  箱体
Ｃ  緩衝体
Ｇ  ガラス瓶
１  第１緩衝板
２  第２緩衝板
３  第３緩衝板
４  第４緩衝板
５  第５緩衝板
６  第６緩衝板
１１  上蓋
１２  係合部
１４  底蓋
１５  係合部
１９  第１連結板
２７  係止片
２８  係止片
２９  第２連結板
３１  係合孔
３９  第３連結板
４７  係止片
４８  係止片
４９  第４連結板
５９  第５連結板
６１  上蓋
６２  係合部
６４  底蓋
６５  係合部
【図１】
0003122717.tif 000003
【図２】
0003122717.tif 000004
【図３】
0003122717.tif 000005
【図４】
0003122717.tif 000006
【図５】
0003122717.tif 000007
【図６】
0003122717.tif 000008
【図７】
0003122717.tif 000009